(57)【要約】【課題】監視制御との連携機能を有する情報及び連携機能以外の仕様を含む情報を統一的かつ効率よく作成して提供することができる監視システムを提供することにある。【解決手段】施設の機器の動作や状態を監視及び制御する監視システム１０において、監視制御との連携機能を有する監視用サーバ２１と、公開情報をユーザが操作するコンピュータ３１に提供するビル運営用サーバ３２とがネットワーク３０を介して情報を交換する。監視用サーバ２１とビル運営用サーバ３２はそれぞれ、監視システムとの連携機能と表示・操作機能とを分散して実現する。【選択図】      図１
2010098451.tif 000002
【特許請求の範囲】
【請求項１】
施設に設置された機器の動作や状態を監視及び制御する監視制御手段と、
前記監視制御手段と連携し、監視用情報をネットワークを介して提供する第１のサーバと、
前記ネットワークを介した外部のコンピュータからの要求に応じて前記第１のサーバに対して前記監視用情報を要求し、前記監視用情報に基づいて指定の形式からなるユーザ向け情報を前記コンピュータに提供し、かつ前記コンピュータからの指示に基づいた操作情報を前記第１のサーバに通知する第２のサーバと
を具備したことを特徴とする監視システム。
【請求項２】
前記第１のサーバは、
前記第２のサーバとの間で共通の通信プロトコルにより交換可能な前記監視用情報を提供するように構成されていることを特徴とする請求項１に記載の監視システム。
【請求項３】
前記第２のサーバはＷｅｂサーバであり、
前記監視用情報に基づいて作成されたＷｅｂコンテンツを前記ユーザ向け情報として提供するように構成されていることを特徴とする請求項１または請求項２のいずれか１項に記載の監視システム。
【請求項４】
前記第２のサーバは
前記ユーザ向け情報に基づいて前記コンピュータから要求される前記機器の操作指示を受け付けて、当該操作指示を前記操作情報として前記第１のサーバに通知するように構成されていることを特徴とする請求項１から請求項３のいずれか１項に記載の監視システム。
【請求項５】
前記第１のサーバは、
前記第２のサーバから通知された操作情報に含まれる制御要求を前記監視制御手段に通知し、前記監視制御手段から当該制御要求に応じた制御結果を受信して前記第２のサーバに送信するように構成されていることを特徴とする請求項１から請求項４のいずれか１項に記載の監視システム。
【請求項６】
前記監視制御手段は、前記施設に設置された機器の動作又は状態に関係する計測値を示す計測データをデータベースとして蓄積し、
前記第１のサーバは、前記第２のサーバからの要求に応じて必要な項目毎の計測データを前記データベースから収集し、前記計測データを使用した前記監視情報を指定の形式で作成して提供することを特徴とする請求項１から請求項５のいずれか１項に記載の監視システム。
【請求項７】
施設に設置された機器の動作や状態を監視及び制御する監視制御手段を有し、ネットワークを介して接続されたコンピュータからの要求に応じて情報の提供及び操作を行なう監視システムに適用する監視方法であって、
第１のサーバにより前記監視制御手段と連携し、監視用情報をネットワークを介して提供する処理と、
第２のサーバにより、前記ネットワークを介した外部のコンピュータからの要求に応じて前記第１のサーバに対して前記監視用情報を要求する処理と、
第２のサーバにより、前記監視用情報に基づいて指定の形式からなるユーザ向け情報を前記コンピュータに提供する処理と、
第２のサーバにより、前記コンピュータからの指示に基づいた操作情報を前記第１のサーバに通知する処理と
を実行することを特徴とする監視方法。
【請求項８】
前記第２のサーバにより前記コンピュータに提供する処理は、前記監視用情報に基づいて作成されたＷｅｂコンテンツを前記ユーザ向け情報として提供することであることを特徴とする請求項７に記載の監視方法。
【請求項９】
前記第２のサーバにより前記操作情報を前記第１のサーバに通知する処理は、前記ユーザ向け情報に基づいて前記コンピュータから要求される前記機器の操作指示を受け付けて、当該操作指示を前記操作情報として前記第１のサーバに通知することであることを特徴とする請求項７に記載の監視方法。
【発明の詳細な説明】
【技術分野】
【０００１】
本発明は、特に、例えばビルなどの施設に設置された機器の動作や状態を監視する監視システムの情報提供技術に関する。
【背景技術】
【０００２】
近年、ビル等の施設（または建物）には、内部に設置された各種の機器の稼動状況や、電力、水道、ガスの使用量に関係する機器の使用状況を監視する監視システムが設けられている。ところで、監視システムとは別に、Ｗｅｂサーバにより、例えばビルのテナントや一般利用者（以下、ユーザと総称する場合がある）に対して、様々な情報を含むＷｅｂコンテンツをネットワーク（ＬＡＮやインターネットなど）を介して公開するサービスが実現されている。
【０００３】
Ｗｅｂコンテンツとしては、施設の概要、施設利用の申請方法、メンテナンス関係などの予定開示、催し物などのスケジュール開示、あるいはエネルギー使用状況開示などの施設運用に関する様々な情報が含まれている。
【０００４】
このようなサービスを実現する技術として、例えばビル所有者や建物管理会社に対して、ビル内のエネルギーの消費状態を監視し、かつ省エネルギー対策に有効な情報を提供するための技術が提案されている（例えば、特許文献１を参照）。
【特許文献１】特開２００８−１０２７０９号公報
【発明の開示】
【発明が解決しようとする課題】
【０００５】
前述のようなビルなどの施設で運営されるＷｅｂサーバは、ビル運営者又はビル管理者の管理下でＷｅｂコンテンツ（情報）を外部に公開する。しかしながら、Ｗｅｂコンテンツを使用して、例えばテナントによる空調機の運転時間を申請する方法や、現在のビル内のエレベータなどの機器状態や制御スケジュールを公開するためには、Ｗｅｂコンテンツと監視システムとが連携をとる機能が要求される。このような連携が必要なＷｅｂコンテンツ（情報）は、監視システムと連携するサーバにより作成されることが多い。
【０００６】
このため、監視システムと連携するサーバが管理するＷｅｂコンテンツは、ビルのテナントや設備の更新がある度に改造される必要がある。また、その改造が、監視システムの機能に影響を及ぼさないことを検証する必要がある。さらに、監視システムとの連携機能以外の仕様に関しては、ビルなどで運営されるサーバが公開するＷｅｂコンテンツとの整合性が必要となる。通常では、連携が必要なＷｅｂコンテンツと連携機能以外の仕様を含むＷｅｂコンテンツとは、異なる業者により作成されることが多いため、全体として統一性があるＷｅｂコンテンツ群を提供することは困難であった。
【０００７】
そこで、本発明の目的は、監視制御との連携機能を有する情報及び連携機能以外の仕様を含む情報を統一的かつ効率よく作成して提供することができる監視システムを提供することにある。
【課題を解決するための手段】
【０００８】
本発明の観点は、監視制御との連携機能を有する第１のサーバ（監視用サーバ）と、公開情報（Ｗｅｂコンテンツ）をコンピュータに提供する第２のサーバ（運営用サーバ）とを有し、監視制御との連携機能と表示・操作機能のそれぞれを分散して実現する監視システムである。
【０００９】
本発明の観点に従った監視システムは、施設に設置された機器の動作や状態を監視及び制御する監視制御手段と、前記監視制御手段と連携し、監視用情報をネットワークを介して提供する第１のサーバと、前記ネットワークを介した外部のコンピュータからの要求に応じて前記第１のサーバに対して前記監視用情報を要求し、前記監視用情報に基づいて指定の形式からなるユーザ向け情報を前記コンピュータに提供し、かつ前記コンピュータからの指示に基づいた操作情報を前記第１のサーバに通知する第２のサーバとを備えた構成である。
【発明の効果】
【００１０】
本発明によれば、監視制御との連携機能を有する情報及び連携機能以外の仕様を含む情報を統一的かつ効率よく作成して提供することができる監視システムを提供できる。具体的には、ネットワーク上に公開するＷｅｂコンテンツにおいて、監視制御との連携が必要なＷｅｂコンテンツと連携機能以外の仕様（表示と操作の機能）を含むＷｅｂコンテンツとを統一的に作成して提供することが可能となる。
【発明を実施するための最良の形態】
【００１１】
以下図面を参照して、本発明の実施形態を説明する。
【００１２】
（監視システムの構成）
図１は、本実施形態に関する監視システムの要部を示すブロック図である。
【００１３】
図１に示すように、監視システム１０は、例えばビルなどの施設の内部に設置されており、ローカルエリアネットワーク（ＬＡＮ）２０に接続された統合コントロール装置１１と、インターフェース１２と、複数のローカルコントローラ１３と、監視用サーバ２１とを有する。なお、本実施形態では、施設としては通常のオフィスビルなどのビルを想定する。
【００１４】
統合コントロール装置１１は、複数のローカルコントローラ１３を統合制御する中央コントロールステーションに相当する。統合コントロール装置１１は、各ローカルコントローラ１３から、ビル内に設置された機器１５ａ，１５ｂの動作状態（稼動状況や使用状況）に応じた計測データを収集し、内部の記憶装置からなるデータベース（ＤＢ）１６に蓄積する監視機能を有する。また、統合コントロール装置１１は、各ローカルコントローラ１３に対して機器１５ａ，１５ｂの動作を制御するための制御信号を出力し、機器１５ａ，１５ｂの動作を通じてビル内の照明、空調、あるいはエレベータなどの環境を管理する管理機能を有する。
【００１５】
インターフェース１２は、いわゆるヒューマン・マシンインターフェース（ＨＭＩ）であり、オペレータの入力操作を行なうための入力装置や、統合コントロール装置１１から出力される情報を表示する出力装置から構成されている。各ローカルコントローラ１３はローカルコントロール・ステーション（ＬＣＳ）とも呼ばれており、複数の機器１５ａ，１５ｂをリモート入出力装置（ＲＩＯ）１４ａ，１４ｂを介して制御する。リモート入出力装置（ＲＩＯ）１４ａ，１４ｂはそれぞれ、対応する機器１５ａ，１５ｂを制御するための制御信号を出力し、また機器１５ａ，１５ｂからの計測信号を入力する。
【００１６】
また、各ローカルコントローラ１３は、ＲＩＯ１４ａ，１４ｂを介して各機器１５ａ，１５ｂの動作または状態を示す計測信号を収集し、その計測信号をディジタル値に変換した計測データをＬＡＮ２０を通じて統合コントロール装置１１に伝送する。本実施形態では、便宜的に、１台のローカルコントローラ１３が、２台の機器１５ａ，１５ｂを制御する場合を想定する。機器１５ａ，１５ｂは、例えばビル内の各フロアに設置された照明機器や空調器である。
【００１７】
監視用サーバ２１は、ＬＡＮ２０を介して統合コントロール装置１１と接続し、監視システム１０の監視制御と連携したＷｅｂコンテンツ（監視用情報）を作成する機能（連携機能）を実現している。また、監視用サーバ２１は、広域のネットワーク（例えばインターネット）３０を介してビルの外部に設置されているビル運営用サーバ３２と接続し、それぞれとの間で情報（Ｗｅｂコンテンツ）の交換を行なう。
【００１８】
ビル運営用サーバ３２は、ネットワーク３０を介してコンピュータ（ＰＣ）３１に接続し、監視システム１０とコンピュータ（ＰＣ）３１との間における表示・操作機能を実現している。ＰＣ３１は、例えばビルのテナントであるユーザが操作するパーソナルコンピュータである。
【００１９】
ビル運営用サーバ３２は、ＰＣ３１からの要求に応じて、監視用サーバ２１により作成された監視用情報に基づいてユーザ向けのＷｅｂコンテンツ（ユーザ向け情報）を作成する。ＰＣ３１はＷｅｂブラウザを起動することで、当該Ｗｅｂコンテンツをダウンロードし、Ｗｅｂ画面としてディスプレイ上に表示する（表示機能）。
【００２０】
また、ＰＣ３１がＷｅｂ画面上から監視システム１０に対する操作指示を行なうと、ビル運営用サーバ３２は、その操作情報を監視用サーバ２１に伝達する（操作機能）。監視用サーバ２１は、ビル運営用サーバ３２から伝達された操作情報に基づいて、統合コントロール装置１１に対して制御情報を出力する。なお、監視用サーバ２１及びビル運営用サーバ３２は、例えばＳＯＡＰ（simple object access protocol）などの汎用的インターフェース（ソフトウェア）を使用して、相互に情報交換可能なようにＷｅｂコンテンツを作成して実装する。具体的には、Ｗｅｂコンテンツは、例えばＸＭＬ（Extensible Markup Language）により記述される情報である。
【００２１】
（監視システムの動作）
以下、図２のフローチャート、図３及び図４を参照して、本実施形態の監視システムの動作を説明する。
【００２２】
本実施形態は、例えばビルのテナントであるユーザがＰＣ３１を操作して、ビル内の各フロアに設置された照明機器（１５ａとする）の状態を確認し、かつ照明機器１５ａの個別のオン／オフ操作（個別発停操作）を行なう場合について説明する。
【００２３】
まず、ＰＣ３１からネットワーク３０を介してビル運営用サーバ３２に対してアクセス要求があると、ビル運営用サーバ３２は要求内容に応じた処理を実行する（ステップＳ１）。具体的には、ビル運営用サーバ３２は、照明機器１５ａに関する監視用情報の取得要求を監視用サーバ２１に通知する（ステップＳ２）。この通知に応じて、監視用サーバ２１は、統合コントロール装置１１に対して照明機器１５ａに関する監視用情報を要求して収集する（ステップＳ３）。
【００２４】
ここで、統合コントロール装置１１は、統合コントロール装置１１は監視機能により、予め決められた一定時間又は期間単位でローカルコントローラ１３をアクセスし、照明機器１５ａから取得される計測データ（機器の動作や状態に関する計測値）を時系列的にＤＢ１６に蓄積している。監視用サーバ２１は、統合コントロール装置１１のＤＢ１６に蓄積されている計測データ群から、要求対象の計測データを収集する（１２０）。監視用サーバ２１は、収集した計測データ（１２０）を使用した監視用情報としてＸＭＬ形式からなるＷｅｂコンテンツ（１１０）を作成し、ネットワーク３０を介してビル運営用サーバ３２に送信する（ステップＳ４）。
【００２５】
監視用サーバ２１は、例えば図３に示すように、照明機器１５ａに関する状態を示す監視用情報を作成してビル運営用サーバ３２に送信する。ここでは、監視用情報には、ビル内の各フロア毎に配置された照明機器を特定するための機器コードが設定されている。このような監視用情報であるＷｅｂコンテンツをディスプレイ上に表示することにより、ビル運営者又はビル管理者は、ビル内の照明機器１５ａの状態を確認することができる。
【００２６】
次に、ビル運営用サーバ３２は、監視用サーバ２１から伝送された監視用情報（１１０）から、ユーザ向け情報（ユーザ画面情報）であるＷｅｂコンテンツ（１００）を作成する（ステップＳ５）。このユーザ向け情報とは、例えば図４に示すように、ビル内のフロアレイアウト４１を表示し、現在状態（点灯ＯＮまたは消灯ＯＦＦ）に対応した各照明機器のシンボル４３を重ね合わせて表示するユーザ画面情報４０である。フロアレイアウト４１には、フロアの向き（北向きを示す矢印４２）を示すシンボルも含まれている。
【００２７】
ＰＣ３１は、ネットワーク３０を介してビル運営用サーバ３２から作成されたＷｅｂコンテンツ（１００）をダウンロードすることにより、ディスプレイ上に図４に示すようなユーザ画面情報４０を表示する（ステップＳ６）。ＰＣ３１を操作しているユーザは、ディスプレイ上に表示されたユーザ画面情報４０により、指定したフロアの照明機器の状態を確認することができる。
【００２８】
ここで、ビル運営用サーバ３２は、ユーザ向け情報（ユーザ画面情報４０）のＷｅｂコンテンツ（１００）として、ＰＣ３１から照明機器のシンボル４３がクリックされたときに、当該照明機器の操作ボタンを表示する情報を作成する。この場合、例えば現在状態から判断される現在操作可能な操作ボタンのみを有効とし、無効な操作ボタンについてはカスケード表示を行なうような情報でもよい。
【００２９】
ＰＣ３１は、ユーザにより操作可能な操作ボタンが選択されて、実行ボタンがクリックされると、当該照明機器の制御要求をビル運営用サーバ３２に通知する（ステップＳ７のＹＥＳ）。ビル運営用サーバ３２は、ＰＣ３１からの制御要求である操作情報を監視用サーバ２１に通知する（ステップＳ８）。ここで、制御要求（操作情報）は、例えば図４に示すフロアの照明機器の中で消灯ＯＦＦになっている照明機器を点灯ＯＮさせる操作指示であるとする。
【００３０】
監視用サーバ２１は、ビル運営用サーバ３２から通知された制御要求（操作情報）を統合コントロール装置１１に通知する（ステップＳ９）。統合コントロール装置１１は、ローカルコントローラ１３に制御信号を出力し、指定されたフロアの照明機器１５ａの中で、消灯ＯＦＦになっている照明機器を点灯ＯＮさせる。監視用サーバ２１は、統合コントロール装置１１から制御結果（消灯ＯＦＦになっている照明機器を点灯ＯＮ）を受け取ると、ネットワーク３０を介してビル運営用サーバ３２に通知する（ステップＳ１０）。
【００３１】
以上のようにして本実施形態の監視システムであれば、例えばビルのテナントのユーザは、ネットワーク３０に接続されたＰＣ３１を操作することにより、例えばビル内のフロア毎の照明機器の状態を確認し、かつ照明機器を点灯又は消灯などの操作を要求することができる。なお、本実施形態は、監視制御対象としてビル内の照明機器を想定し、情報の提供や操作について説明したが、これに限ることなく、ビル内の空調機などに対する情報の提供や操作にも適用できる。
【００３２】
本実施形態は、監視制御内容をＷｅｂコンテンツとして公開するサーバ機能を、監視システム１０に連携する監視用サーバ２１と、実際のユーザ向けの情報（ユーザ画面情報）を表示し、かつユーザからの操作指示を受け付けるビル運営用サーバ３２とに分散した構成である。換言すれば、監視用サーバ２１による監視システム１０の監視制御と連携したＷｅｂコンテンツ（監視用情報）を作成する連携機能と、ビル運営用サーバ３２による監視システム１０とコンピュータ（ＰＣ）３１との間における表示・操作機能を分散した構成である。このような構成により、監視用サーバ２１とビル運営用サーバ３２のそれぞれに実装されるＷｅｂコンテンツを、個別に作成又は変更することができる。
【００３３】
従って、本実施形態であれば、例えば、監視制御に関するＷｅｂコンテンツのレイアウト変更やオペレーションの変更などの表示・操作機能に関する改造が発生した際でも、表示・操作機能のみに関するＷｅｂコンテンツの改造が可能である。即ち、監視用サーバ２１による連携機能に関するＷｅｂコンテンツの仕様と、表示・操作機能に関するＷｅｂコンテンツの仕様とをそれぞれ個別にして統一させる必要性はない。また、監視用サーバ２１が実装するＷｅｂコンテンツは、通常では、例えばビル運営者又はビル管理者向けの監視用情報として公開される必要がある。これに対して、ビル運営用サーバ３２に実装されるＷｅｂコンテンツは、例えばビルテナントのユーザ向けのＷｅｂ画面情報のようなユーザ向け情報として公開される。これにより、監視システムの監視制御と連携する連携機能と共に、Ｗｅｂサーバを利用したユーザ向けの表示・操作機能を容易に実現することができる。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】本発明の実施形態に関する監視システムの要部を示すブロック図。
【図２】本実施形態に関する監視システムの動作を説明するためのフローチャート。
【図３】本実施形態に関する監視用サーバにより作成される情報の一例を示す図。
【図４】本実施形態に関するビル運営用サーバにより作成される情報の一例を示す図。
【符号の説明】
【００３６】
１０…監視システム、１１…統合コントロール装置、１２…インターフェース、
１３…ローカルコントローラ、１４ａ，１４ｂ…リモート入出力装置（ＲＩＯ）、
１５ａ，１５ｂ…機器、２０…ローカルエリアネットワーク（ＬＡＮ）、
２１…監視用サーバ、３０…ネットワーク、３１…コンピュータ（ＰＣ）、
３２…ビル運営用サーバ。
【図１】
2010098451.tif 000003
【図２】
2010098451.tif 000004
【図３】
2010098451.tif 000005
【図４】
2010098451.tif 000006